(57)【特許請求の範囲】
【請求項１】
支持体によって形成される収納空間内に、機器を載置可能で金属板を箱状に折曲形成してなる台板を水平方向で引き出し可能に支持した機器収納用ラックであって、
前記台板の前板の裏側に、前記支持体側への飛び出し位置と、前記台板側への引き込み位置との間をスライド可能なストッパを設けるとともに、前記前板に前記ストッパのスライド方向へ長い長孔を設け、前記前板の前面側から前記長孔を介してローレットツマミのネジ部を前記ストッパに螺合することにより、前記ストッパを前記台板の引き出し方向前面側からスライド操作可能、且つ、任意のスライド位置で固定可能とする一方、
前記支持体に、前記台板の収納位置において前記ストッパが前記飛び出し位置で係合可能なスリットを設けたことを特徴とする機器収納用ラック。
【発明の詳細な説明】
【０００１】
【発明の属する技術分野】
本発明は、支柱や側板等の支持体によって形成される収納空間内に、ＬＡＮ用機器等の各種電子・電気機器を載置可能な台板を水平方向で引き出し可能に支持してなる機器収納用ラックに関する。
【０００２】
【従来の技術】
上記機器収納用ラック（以下「ラック」と略称する。）においては、操作や修理等を行いやすいように、機器を載置する台板を水平方向にスライドさせて機器ごと引き出し可能としたものが知られている。図３（Ｂ）は従来のラック３０の説明図で、支持体となる四隅の支柱３１，３１・・によって形成される収納空間には、左右に配されるスライド取付板３２，３２との間に設けられたガイドレール３３，３３によって台板３４が支持され、前面に取っ手３５をつかんで手前に引くと、ガイドレール３３に設けた図示しないストッパに規制されるまで引き出すことができる。又、収納時には、台板３４が不用意にスライドしないように、スライド取付板３２とガイドレール３３との間にストッパ金具３６，３６が備えられている。このストッパ金具３６は楔状を呈し、同図（Ａ）に示すように、一端をスライド取付板３２の差込孔３７に、他端を台板３４のストッパ孔３８に夫々差し込むことで、収納位置で台板３４とスライド取付板３２とを連結し、引き出しを規制するもので、台板３４を引き出す際には、ストッパ金具３６の他端をストッパ孔３８から抜き出して回転させ、そのままスライド取付板３２に穿設されたもう一つの差込孔３９に差し込むことで連結が解除される。
【０００３】
【発明が解決しようとする課題】
このようなストッパ金具３６を用いると、ストッパ金具３６上には機器が載せられないため、ストッパ孔３８，３８を設ける分だけ台板３４上の有効スペースが減少してしまう（幅が図３（Ｂ）で示すＷに制限される）。又、ストッパ金具３６を抜き差しする際にはラックの内部まで手を入れる必要があるため、台板３４に載せる機器の幅が大きいとストッパ金具３６の操作がしにくい。
【０００４】
そこで、請求項１に記載の発明は、台板の有効スペースを減少させることがなく、又、セットされる機器の大きさにかかわらず簡単な操作で台板の引き出し規制とその解除とが可能となるラックを提供することを目的としたものである。
【０００５】
【課題を解決するための手段】
上記目的を達成するために、請求項１に記載の第１発明は、台板の前板の裏側に、支持体側への飛び出し位置と、台板側への引き込み位置との間をスライド可能なストッパを設けるとともに、前板にストッパのスライド方向へ長い長孔を設け、前板の前面側から長孔を介してローレットツマミのネジ部をストッパに螺合することにより、ストッパを台板の引き出し方向前面側からスライド操作可能、且つ、任意のスライド位置で固定可能とする一方、支持体に、台板の収納位置においてストッパが飛び出し位置で係合可能なスリットを設けたことを特徴とするものである。
【０００６】
【発明の実施の形態】
《形態１》
以下、第１発明の実施の形態を図面に基づいて説明する。
図１において、ラック１は、支持体として四隅に立設される支柱２，２・・の上部で天板３を支持し、天板３下部の収納空間内に、金属板を箱状に折曲形成してなる台板４が所定間隔で水平に設置される。この台板４は、前後方向（同図（Ａ）の左下側を前方として説明する。）の支柱２，２間に架設される左右一対のスライド取付板５，５と、台板４の左右両側面との間に夫々設けられたガイドレール６，６によって、支柱２，２・・内に収まる収納位置と、その収納位置からガイドレール６，６に設けられた図示しないストッパによって規制される引き出し位置との間でスライド自在に支持される。又、台板４の前板８には取っ手７が取り付けられている。
【０００７】
更に、台板４の前板８で向かって右端位置には、左右方向に長孔９が形成されて、その長孔９に、ローレットツマミ１０のネジ部１１が前方から差し込まれ、前板８の裏側に配された平板状のストッパ１２の基端と螺合している。このストッパ１２は、先端部１３が台板４の側板１４に設けられたスリット１５を貫通することで、ネジ部１１の螺合と合わせて水平姿勢に支持され、ローレットツマミ１０を長孔９の左端部に平行移動させると、図１（Ｂ）の如くストッパ１２も左へ連動して先端部１３をスリット１５から僅かに覗かせる引き込み位置に移動し、ローレットツマミ１０を長孔９の右端部に平行移動させると、先端部１３がガイドレール６の外端面よりも外方へ突出した飛び出し位置に移動する。そして、任意の位置でローレットツマミ１０をねじ込むことで、基端が前板８の裏面に押し付けられ、当該位置でストッパ１２は固定可能となる。
一方、スライド取付板５の前方には、台板４の収納位置でストッパ１２の突出方向前方に位置し、ストッパ１２の先端部１３が貫通可能な被係合部としてのスリット１６が穿設されている。
【０００８】
以上の如く構成されたラック１は、台板４を収納位置で固定する場合は、ローレットツマミ１０を緩めて右側にスライドさせると、ストッパ１２も連動して飛び出し位置へスライドする。すると、図１（Ｃ）の如くストッパ１２の先端部１３がスライド取付板５のスリット１６を貫通するため、ここでローレットツマミ１０をねじ込んでストッパ１２を固定すると、台板４はストッパ１２とスライド取付板５との係合により前方への引き出しを阻止される。
次に、台板４を引き出す場合は、ローレットツマミ１０を緩めて左側へスライドさせると、ストッパ１２も連動して引き込み位置へスライドするため、ストッパ１２の先端部１３がスリット１６から離反してスライド取付板５との係合が解かれる。よって、同図（Ｂ）の如く取っ手７を利用して台板４を引き出すことができる。
【０００９】
このように上記形態１によれば、台板４の前板８に、側方への飛び出し位置と引き込み位置との間をスライド可能なストッパ１２を、ローレットツマミ１０によって前面側からスライド操作可能に設け、支柱２側のスライド取付板５に、台板４の収納位置においてストッパ１２が飛び出し位置で係合可能なスリット１６を設けたことで、台板４の上面全面を有効スペースとして利用でき、機器の載置に制限を受けることがない。又、ローレットツマミ１０が台板４の前方に位置しているから、台板４上の機器の大きさにかかわらず台板４の引き出し規制とその解除との操作が簡単に行え、操作性の向上が期待できる。
【００１０】
尚、ストッパ１２は台板４の左右両側に設けても良いし、その形状も棒状体等に適宜設計変更可能である。又、上記形態１で台板４は支柱２，２・・間の収納空間に支持されているが、支持体として左右一対の側板等でスライド可能に支持されているものであっても本発明は適用可能である。この場合ストッパの被係合部は、側板の内面に凹溝等として形成されることになる。
更に、上記形態１では、ストッパ１２を台板４に、スリット１６をスライド取付板５に設けているが、支柱や側板の厚みによってはこれと逆にして、ストッパ１２等を支柱や側板の前側で左右へスライド可能に設けて、台板４の側板に被係合部としてのスリットや凹溝等を設けても差し支えない。
【００１１】
《形態２》
次に本発明の参考例を説明する。尚、形態１と同じ符号は同じ部品及び機能を有するため、重複する説明は省略する。ここでのストッパ１７は支柱２に設けられる。即ち、図２（Ａ）に示すように、左側の支柱２の内面には、支持箱２０が設けられ、その支持箱２０内にＬ字状のストッパ１７が、長手端部１８を支持箱２０へ上下方向に設けられた第１スリット２１を貫通した状態で収納され、ストッパ１７の短手端部１９には、支持箱２０へ上下方向に設けられた第２スリット２２を貫通したローレットツマミ１０のネジ部１１が螺合している。ここで、第１、第２スリット２１，２２は、ストッパ１７が上端に位置した状態では、図２（Ｂ）の如く長手端部１８を台板４の前板８のすぐ前方に位置させて引き出しを規制するように（規制位置）、ストッパ１７が下端に位置した状態では、同図（Ａ）の如く長手端部１８を前板８の前方から下方へ退避させて引き出しを許容するように（許容位置）、夫々長さが設定されている。
【００１２】
よって、以上の如く構成されたラック１において、台板４を収納位置で固定する場合は、ローレットツマミ１０を緩めて第２スリット２２の上端へスライドさせると、ストッパ１７も連動して第１スリット２１の上端位置へスライドする。
ここでローレットツマミ１０をねじ込んでストッパ１７を固定すると、長手端部１８が規制位置にあって台板４の引き出しを阻止することになる（図２（Ｂ））。
次に、台板４を引き出す場合は、ローレットツマミ１０を緩めて第２スリット２２の下端へスライドさせると、ストッパ１７も連動して第１スリット２１の下端位置へスライドするため、長手端部１８が前板８の前方から許容位置へ移動する（図２（Ａ））。よって、取っ手７を利用して台板４を引き出すことができる。
【００１３】
このように上記形態２においても、台板４の引き出し方向前面側で、支柱２に、台板４の前板８と干渉してその引き出しを阻止する規制位置と、その規制位置から下方へ退避して台板４の引き出しを許容する許容位置との間を上下にスライド可能なストッパ１７を、任意の上下位置で固定可能に設けたことで、台板４の上面全面を有効スペースとして利用することができ、機器の載置に制限を受けることがない。又、ローレットツマミ１０が台板４の前方に位置しているから、台板４上の機器の大きさにかかわらず台板４の引き出し規制とその解除との操作が簡単に行え、操作性の向上が期待できる。
【００１４】
尚、形態２の場合もストッパ１７と支持箱２０とを左右の支柱２，２に夫々設けたり、長手端部１８を棒状体としたりする等の設計変更は可能である。又、台板が支柱でなく側板で支持される場合は、側板の内面に形成した凹部に支持箱及びストッパが設けられることとなる。その他、上記形態２ではストッパ１７を台板４の前板８と干渉させる構造としているが、上面以外であれば、例えば台板４の下面に設けたスリット等にストッパを下から挿入させて引き出しを阻止することもできる。
【００１５】
【発明の効果】
請求項１に記載の発明によれば、台板の上面全面を有効スペースとして利用でき、機器の載置に制限を受けることがない。又、ストッパは台板の引き出し方向前面側で操作可能であるから、台板上の機器の大きさにかかわらず台板の引き出し規制とその解除との操作が簡単に行え、操作性の向上が期待できる。
【図面の簡単な説明】
【図１】（Ａ）形態１に係るラックの斜視図である。
（Ｂ）Ａ部詳細図である（ストッパは引き込み位置）。
（Ｃ）Ａ部詳細図である（ストッパは飛び出し位置）。
【図２】（Ａ）形態２に係るラックの部分斜視図である（ストッパは許容位置）。
（Ｂ）形態２に係るラックの部分斜視図である（ストッパは規制位置）。
【図３】（Ａ）従来の台板のストッパ金具を示す斜視図である。
（Ｂ）台板の引き出し状態を示す斜視図である。
【符号の説明】
１・・ラック、２・・支柱、４・・台板、５・・スライド取付板、６・・ガイドレール、８・・前板、１０・・ローレットツマミ、１２，１７・・ストッパ、１６・・スリット。
【図１】
0004568423.tif 000002
【図２】
0004568423.tif 000003
【図３】
0004568423.tif 000004